Podtech/llm-jp-corpus-v4-ja_patent huggingface dataset:
【手続補正書】
【提出日】平成17年9月27日(2005.9.27)
【手続補正１】
【補正対象書類名】特許請求の範囲
【補正対象項目名】全文
【補正方法】変更
【補正の内容】
【特許請求の範囲】
【請求項１】
ブラウザアプリケーションに対してネイティブなキーボードアクセラレータに対応するキーボードデータを含むアプリケーションレベルキーボードデータをインターセプトするステップ、を有し、前記ブラウザアプリケーションがリモートアプリケーションを実行することができ、当該インターセプトは前記データが前記ブラウザアプリケーションによって取得される前に起きるものであり、
前記キーボードデータが、定義されたリモートアプリケーションキーボードアクセラレータに対応しているかどうか判断するステップと、
前記キーボードデータが、定義されたリモートアプリケーションキーボードアクセラレータに対応しているとき、リモートアプリケーションファンクションを呼び出すステップと、
前記キーボードデータが定義されたリモートアプリケーションキーボードアクセラレータに対応していないとき、前記キーボードデータを前記ブラウザアプリケーションに転送するステップと、を有する
ことを特徴とする方法。
【請求項２】
キーボードデータが、特殊キーを含むキーストロークシーケンスに対応するコードを含む、ことを特徴とする請求項１に記載の方法。
【請求項３】
前記アプリケーションレベルキーボードデータをインターセプトするステップが、イベントキューにおける全てのイベントをスクリーニングすることを含む、ことを特徴とする請求項１に記載の方法。
【請求項４】
ブラウザアプリケーションによって検索される前にキーボードデータを削除するステップを更に有することを特徴とする請求項１に記載の方法。
【請求項５】
リモートアプリケーションファンクションが、java script及びjavaを含むグループから選択されたプログラム言語で書かれたソフトウェアプログラムを含むことを特徴とする請求項１に記載の方法。
【請求項６】
リモートアプリケーションファンクションが、クライアントサイド方式を含むことを特徴とする請求項１に記載の方法。
【請求項７】
リモートアプリケーションファンクションが、サーバサイド方式を含むことを特徴とする請求項１に記載の方法。
【請求項８】
プロセッサと、
前記プロセッサに接続され、複数のマシン命令をストアするメモリと、
前記プロセッサに接続され、コミュニケーションリンクを介してネットワークに接続することができる通信インターフェースと、を有し、
装置が、プロセッサによるマシン命令の実行により、
プロセッサによって実行されるブラウザアプリケーションに対してネイティブなキーボードアクセラレータに対応するキーボードデータを含むアプリケーションレベルキーボードデータをインターセプトし、当該インターセプトは前記データが前記ブラウザアプリケーションによって取得される前に起きるものであり、
前記キーボードデータが、定義されたリモートアプリケーションキーボードアクセラレータに対応するかどうか判断し、
前記キーボードデータが、定義されたリモートアプリケーションキーボードアクセラレータに対応するとの判断に応答してリモートアプリケーションファンクションを呼び出し、
前記キーボードデータが定義されたリモートアプリケーションキーボードアクセラレータに対応していないとき、前記キーボードデータを前記ブラウザアプリケーションに転送することができる、
ことを特徴とする装置。
【請求項９】
前記キーボードデータが、特殊キーを含むキーボードシーケンスに対応するコードを含むことを特徴とする請求項８に記載の装置。
【請求項１０】
アプリケーションレベルキーボードデータをインターセプトすることが、システムイベントキューにおいてイベントを監視するための命令を実行することを含むことを特徴とする請求項８に記載の装置。
【請求項１１】
装置が、プロセッサによるマシン命令の実行により更に、ブラウザアプリケーションによってキーボードデータの識別の前にキーボードデータを消去することができる、ことを特徴とする請求項８に記載の装置。
【請求項１２】
前記リモートアプリケーションファンクションが、java script及びjavaを含むグループから選択されたプログラム言語で書かれたマシン読取可能命令のセットを有することを特徴とする請求項８に記載の方法。
【請求項１３】
マシンによって実行されたとき、マシンが、
ブラウザアプリケーションに対してネイティブなキーボードアクセラレータに対応するキーボードデータを含む、アプリケーションレベルキーボードデータをインターセプトし、当該インターセプトは前記データが前記ブラウザアプリケーションによって取得される前に起きるものであり、前記ブラウザアプリケーションがリモートアプリケーションを実行することができ、
前記キーボードデータが、定義されたリモートアプリケーションキーボードアクセラレータに対応するかどうか判断し、
前記キーボードデータが、定義されたリモートアプリケーションキーボードアクセラレータに対応するとき、リモートアプリケーションファンクションを呼び出し、
前記キーボードデータが定義されたリモートアプリケーションキーボードアクセラレータに対応していないとき、前記キーボードデータを前記ブラウザアプリケーションに転送することができる命令を提供するマシン読取可能媒体を有する製造物。
【請求項１４】
前記キーボードデータが、特殊キーを含むキーストロークシーケンスに対応したコードを有する、ことを特徴とする請求項１３に記載の製造物。
【請求項１５】
前記アプリケーションレベルキーボードデータをインターセプトすることが、イベントキューの全てのイベントをスクリーニングすることを含むことを特徴とする請求項１３に記載の製造物。
【請求項１６】
前記リモートアプリケーションファンクションが、java script及びjavaを含むグループから選択されたプログラム言語で書かれたソフトウェアプログラムを有することを特徴とする請求項１３に記載の製造物。
【請求項１７】
マシンによって実行されるときに、マシンによりブラウザアプリケーションによって検索される前にキーボードデータを削除することが更にできる命令を、前記マシン読取可能媒体が更に提供することを特徴とする請求項１３に記載の製造物。
【請求項１８】
前記命令が、ActiveXコントロールソフトウェアプログラムを含むことを特徴とする請求項１３に記載の製造物。
【請求項１９】
前記命令が、プラグインソフトウェアプログラムを含むことを特徴とする請求項１３に記載の製造物。
【手続補正２】
【補正対象書類名】明細書
【補正対象項目名】００１５
【補正方法】変更
【補正の内容】
【００１５】
ある実施形態では、各クライアント１０１，１０３及び１０５は、クライアント１０１，１０３及び１０５内のメモリ又は他のストレージロケーションにストアされ、アクセス可能な、複数のマシン命令を実行するように構成され得る。ある実施形態では、複数のマシン命令は、オペレーティングシステム及びブラウザアプリケーションを含む複数のソフトウェアアプリケーションを包含しうる。
【手続補正書】
【提出日】平成17年9月20日(2005.9.20)
【手続補正１】
【補正対象書類名】特許請求の範囲
【補正対象項目名】全文
【補正方法】変更
【補正の内容】
【特許請求の範囲】
【請求項１】
クライアントにおいて実行されるブラウザ側オブジェクトのセットと、
上記ブラウザ側オブジェクトと、サーバーにおいて実行されるオブジェクトマネージャー（ＯＭ）により管理されるサーバ側オブジェクトとの間の通信及び同期を容易にするためのリモート手順コール(RPC)メカニズム及び通知メカニズムと、
上記クライアントに設けられたビューのレイアウトを記憶するためのキャッシュと、を備え、
上記クライアントは、あるビューへ切り換わるためのユーザからの要求を受け取り、上記RPCメカニズム及び上記通知メカニズムを使用して上記ビューのレイアウトを上記サーバーから要求し、そして上記ビューのレイアウトがキャッシュ記憶されていない場合には上記ビューのレイアウトを上記キャッシュに記憶することを特徴とするシステム。
【請求項２】
各ビューがアプレットの特定配列より成るディスプレイパネルである請求項１に記載のシステム。
【請求項３】
上記クライアントは、上記キャッシュがいっぱいである場合に上記キャッシュをフラッシュし、上記キャッシュにおいて上記ビューのレイアウトのための記憶スペースを空ける請求項２に記載のシステム。
【請求項４】
上記クライアントは、上記サーバーから検索されたレイアウトを使用して上記ビューを生成して表示し、上記サーバーから上記ビューのためのデータを検索し、そしてその検索されたデータで上記ビューをポピュレートする請求項２に記載のシステム。
【請求項５】
上記クライアントは、上記ビューのレイアウトがキャッシュ記憶されている場合には上記キャッシュから上記ビューのレイアウトを検索して、上記サーバーへのラウンドトリップをセーブする請求項１に記載のシステム。
【請求項６】
クライアントにおいて実行されるブラウザにブラウザ側オブジェクトのセットをロードし、
上記ブラウザ側オブジェクトとサーバーにおいて実行されるオブジェクトマネージャー（ＯＭ）により管理されるサーバ側オブジェクトとの間の通信及び同期を容易にするためのリモート手順コール(RPC)メカニズム及び通知メカニズムを用意し、
ビューのレイアウトを記憶するためのキャッシュを上記クライアントに設け、
あるビューへ切り換わるためのユーザからの要求を受け取り、
上記ビューのレイアウトがキャッシュ記憶されていない場合には上記RPCメカニズム及び上記通知メカニズムを使用して上記ビューのレイアウトを上記サーバーから要求し、
上記ビューのレイアウトがキャッシュ記憶されていない場合には上記ビューのレイアウトを上記キャッシュにセーブする、
という段階を備えた方法。
【請求項７】
各ビューがアプレットの特定配列より成るディスプレイパネルである請求項６に記載の方法。
【請求項８】
上記キャッシュがいっぱいである場合には上記キャッシュをフラッシュして、上記キャッシュにおいて上記ビューのレイアウトのための記憶スペースを空ける段階を更に備えた請求項７に記載の方法。
【請求項９】
上記サーバーから検索されたレイアウトを使用して上記ビューを生成して表示し、
上記サーバーから上記ビューのためのデータを検索し、そして
上記サーバーから検索されたデータで上記ビューをポピュレートする、
という段階を更に備えた請求項７に記載の方法。
【請求項１０】
上記ビューのレイアウトが上記キャッシュにセーブされている場合には上記キャッシュから上記ビューのレイアウトを検索して、上記サーバーへのラウンドトリップをセーブする請求項６に記載の方法。
【請求項１１】
マシンにより実行されたときに、上記マシンが、
クライアントにおいて実行されるブラウザにブラウザ側オブジェクトのセットをロードし、
上記ブラウザ側オブジェクトと、サーバーにおいて実行されるオブジェクトマネージャー（ＯＭ）により管理されるサーバ側オブジェクトとの間の通信及び同期を容易にするためのリモート手順コール(RPC)メカニズム及び通知メカニズムを用意し、
ビューのレイアウトを記憶するためのキャッシュを上記クライアントに設け、
あるビューへ切り換わるためのユーザからの要求を受け取り、
上記ビューのレイアウトがキャッシュ記憶されていない場合には上記RPCメカニズム及び上記通知メカニズムを使用して上記ビューのレイアウトを上記サーバーから要求し、
上記ビューのレイアウトがキャッシュ記憶されていない場合には上記ビューのレイアウトを上記キャッシュにセーブする、
というオペレーションを実行するようにさせる命令を含むマシン読み取り可能な媒体。
【請求項１２】
各ビューがアプレットの特定配列より成るディスプレイパネルである請求項１１に記載のマシン読み取り可能な媒体。
【請求項１３】
上記キャッシュがいっぱいである場合には上記キャッシュをフラッシュして、上記キャッシュにおいて上記ビューのレイアウトのための記憶スペースを空けることを更に含む請求項１２に記載のマシン読み取り可能な媒体。
【請求項１４】
上記サーバーから検索されたレイアウトを使用して上記ビューを生成して表示し、
上記サーバーから上記ビューのためのデータを検索し、そして
上記サーバーから検索されたデータで上記ビューをポピュレートすることを更に含む請求項１１に記載のマシン読み取り可能な媒体。
【請求項１５】
上記ビューのレイアウトがキャッシュ記憶されている場合には上記キャッシュから上記ビューのレイアウトを検索して、上記サーバーへのラウンドトリップをセーブする請求項１１に記載のマシン読み取り可能な媒体。
【請求項１６】
上記アプレットは、上記ブラウザ側オブジェクトによって表わされる請求項２に記載のシステム。
【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
ユーザと関連した個人が関心を持つユーザ情報を取得および表示する方法であって、
該個人のプロファイルデータをユーザデータベースに格納するステップであって、該プロファイルデータは、該個人と関連した少なくとも１つのキーフレーズを含む、ステップと、
該キーフレーズが利用されるオブジェクトに関して、少なくとも１つの外部データベースにおいて検索するステップと、
該キーフレーズが利用される該オブジェクトを取り出すステップと、
該キーフレーズが関連付けられる個人に該取り出されたオブジェクトを関連付けるステップと
を包含する、方法。
【請求項２】
ユーザと関連した個人のグループが関心を持つ情報を該ユーザに提供する方法であって、
該グループ内の各個人のプロファイルデータをユーザデータベースに格納するステップであって、該プロファイルデータは、該グループ内の該個人の少なくとも１人と関連付けられた、少なくとも１つのキーフレーズを含む、ステップと、
該キーフレーズが利用されるオブジェクトに関して、少なくとも１つの外部データベースにおいて検索するステップと、
該キーフレーズが利用される該オブジェクトを取り出すステップと、
該キーフレーズが関連つけられた該グループ内の少なくとも１人の個人に、該取り出されたオブジェクトを関連付けるステップと、
該キーフレーズ、該キーフレーズが利用される該オブジェクトのリスト、および該キーフレーズと関連付けられた該個人のリストを該ユーザに表示するステップと
を包含する、方法。
【請求項３】
前記個人のグループの前記プロファイルデータは、プロファイルデータベースに最初に格納され、前記ユーザデータベースに該プロファイルデータを格納するステップは、該プロファイルデータベースからの該プロファイルデータを該ユーザデータベースにインポートするステップを包含する、請求項２に記載の方法。
【請求項４】
前記プロファイルデータは、各個人の電子アドレスを含み、前記方法は、前記ユーザからの前記取り出されたオブジェクトを前記キーフレーズと関連付けられた個人に電子通信するステップをさらに包含する、請求項２に記載の方法。
【請求項５】
前記ユーザは、サービスプロバイダであり、前記個人は、該ユーザの顧客であり、前記オブジェクトは、該ユーザの顧客が関心を持つニュース記事であり、該オブジェクトを電子通信するステップは、
前記キーフレーズが利用される該ニュース記事をメモリに格納するステップと、
該サービスプロバイダによって選択された顧客に該サービスプロバイダによって選択された該ニュース記事を電子通信する通信アプリケーションによって、該メモリとインターフェースするステップと
を包含する、請求項４に記載の方法。
【請求項６】
少なくとも１つの外部データベースにおいて自動的に検索するステップは、前記ユーザによって定義されたスケジュールどおりに、該外部データベースにおいて自動的に検索するステップを包含する、請求項２に記載の方法。
【請求項７】
コンピューティングデバイスのユーザに対して、該ユーザと関連した個人が関心を持つ情報を取得および表示するシステムであって、
該個人のプロファイルデータを格納する手段であって、該プロファイルデータは、該個人と関連した少なくとも１つのキーフレーズを含む、手段と、
少なくとも１つの外部データベースにおいて検索し、かつ該キーフレーズが利用されるオブジェクトを取り出す手段と、
該キーフレーズが関連付けられる該個人に、該取り出されたオブジェクトを関連付ける手段と
を備える、システム。
【請求項８】
ユーザと関連した個人のグループが関心を持つ情報を該ユーザに提供するシステムであって、
該グループ内の各個人のプロファイルデータを格納する手段であって、該プロファイルデータは、少なくとも１人の個人について、該個人と関連した少なくとも１つのキーフレーズを含む、手段と、
少なくとも１つの外部データベースにおいて検索し、かつ該キーフレーズが利用されるオブジェクトを取り出す手段と、
該キーフレーズが関連付けられる該グループ内の少なくとも１人の個人に、該取り出されたオブジェクトを関連付ける手段と、
該キーフレーズ、該キーフレーズが利用されるオブジェクトのリスト、および該キーフレーズと関連した該個人のリストを該ユーザに表示する手段と
を備える、システム。
【請求項９】
前記個人のグループの前記プロファイルデータは、最初に、プロファイルデータベースに格納され、前記システムは、該プロファイルデータベースからの該プロファイルデータを前記ユーザデータベースにインポートする手段をさらに備える、請求項８に記載のシステム。
【請求項１０】
前記プロファイルデータは、各個人の電子アドレスを含み、前記システムは、前記キーフレーズが利用される前記オブジェクトを、前記ユーザから該キーフレーズと関連した個人に電子通信する手段をさらに備える、請求項８に記載のシステム。
【請求項１１】
前記ユーザは、関係マネージャであり、前記個人は、該ユーザのクライアントであり、前記オブジェクトは、該ユーザのクライアントが関心を持つニュース記事である、請求項１０に記載のシステム。
【請求項１２】
前記オブジェクトを電子通信するコンポーネントは、
前記キーフレーズが利用される前記ニュース記事を格納する手段と、
前記関係マネージャによって選択されたクライアントに該関係マネージャによって選択された該ニュース記事を電子通信する手段と
を備える、請求項１１に記載のシステム。
【請求項１３】
前記取り出されたオブジェクトを格納する手段と、
前記ユーザによってドキュメントを生成する手段であって、格納されたオブジェクトから情報をコピーし、かつ該コピーされた情報を該ドキュメントにペーストするコンポーネントを備える、手段と、
ドキュメントを生成する手段であって、該ユーザによって選択された個人に該ユーザによって生成された該ドキュメントを電子通信する、手段と
をさらに備える、請求項８に記載のシステム。
【請求項１４】
前記検索する手段は、前記サーチエンジンに前記ユーザによって定義されたスケジュールどおりに、前記外部データベースにおいて自動的に検索させるスケジューラを備える、請求項８に記載のシステム。
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
原材料のデータ管理システムであって、
製品を製造する製造業者と、原材料コード及び原材料特性データを有する原材料を供給する供給業者との間のデータ伝送を可能にするようになったネットワークと、
前記ネットワークと通信し、前記原材料コードによって検索可能な原材料仕様のデータベースと、
前記ネットワークに接続され、供給業者からの原材料特性データを含み、前記原材料コードによって検索可能な原材料特性データのデータベースと、
前記ネットワークに接続され、供給業者がネットワークを介して原材料特性データを製造業者に伝送できるようになったデータ入力システムと、
前記ネットワークに接続され、前記伝送された原材料特性データと、前記原材料仕様データベースからの対応する原材料仕様との比較を生成するようになった生成装置と、
前記生成装置に接続され、前記比較を受信し、前記比較に応答して、前記原材料が前記対応する原材料仕様に適合しているかどうかを示す可否信号を生成するようになった信号生成装置と、
からなるシステム。
【請求項２】
前記データ入力システムはさらに、前記供給業者が前記ネットワークを介して前記製造業者から原材料仕様を受信できるようにすることを特徴とする請求項１に記載のシステム。
【請求項３】
前記データ入力システムは、受信し伝送するためのウェブページを含むことを特徴とする請求項２に記載のシステム。
【請求項４】
前記データ入力システムをネットワークに接続する際の識別確認をさらに含むことを特徴とする請求項１に記載のシステム。
【請求項５】
前記生成装置は、分析証明書を生成するようになったことを特徴とする請求項１に記載のシステム。
【請求項６】
前記分析証明書は、前記比較の表示を含むことを特徴とする請求項５に記載のシステム。
【請求項７】
前記製造業者は複数の施設を有し、前記施設の各々は、前記分析証明書を受け取るようになったことを特徴とする請求項５に記載のシステム。
【請求項８】
前記システムと統合製造システムとの間の接続をさらに含むことを特徴とする請求項１に記載のシステム。
【請求項９】
前記システムと電子データ交換システムとの間の接続をさらに含むことを特徴とする請求項１に記載のシステム。
【請求項１０】
前記システムと品質管理ソフトウェアシステムとの間の接続をさらに含むことを特徴とする請求項１に記載のシステム。
【請求項１１】
システムとアクセスセキュリティシステムとの間の接続をさらに含むことを特徴とする請求項１に記載のシステム。
【請求項１２】
原材料データにおけるエラーを修正し、文書化するエラー修正手段をさらに含むことを特徴とする請求項１に記載のシステム。
【請求項１３】
原材料コードによって特定される適合原材料を供給する方法であって、
電子ネットワークを介して製造業者から前記原材料コードに対応する原材料仕様を受信し、
前記原材料仕様にマッチする原材料特性データをもつ原材料を選択し、
前記原材料特性データを、該原材料特性データが前記原材料コードに関連付けられるように、製造業者により提供された供給業者データ管理システムに入力し、
前記原材料特性データを前記ネットワーク経由で前記製造業者に伝送し、
前記供給業者データ管理システムにおける生成装置を用いて前記原材料特性データと前記原材料仕様との比較を生成し、
前記ネットワークを介して前記製造業者に前記比較を伝送し、
前記原材料を前記製造業者に出荷すること、
を含む方法。
【請求項１４】
前記生成動作はさらに、前記原材料が前記原材料仕様に適合しているかどうかを示す分析証明書を生成することを含む、請求項１３に記載の方法。
【請求項１５】
前記システムに対して取られた動作を文書化するタイムスタンプ手段をさらに含むことを特徴とする請求項１３に記載の方法。
【請求項１６】
前記原材料特性データを要約し、前記比較を示す電子分析証明書を生成することをさらに含む、請求項１３に記載の方法。
【請求項１７】
製造業者が原材料特性データをもつ適合原材料を得る方法であって、
前記原材料の原材料仕様を定義し、
電子ネットワークと通信する原材料仕様データベースに前記原材料仕様を格納し、
前記原材料仕様をネットワーク経由で供給業者に伝送し、
前記供給業者からネットワーク経由で前記原材料特性データを受信し、
ネットワークと通信する原材料特性データのデータベースに前記原材料特性データを格納し、
データ入力システムを用いて前記原材料特性データを前記原材料仕様と比較することによって、前記原材料が前記原材料仕様に適合しているかどうかを判断し、
信号生成装置を用いて、前記判断動作に応答して前記原材料が前記対応する原材料仕様に適合しているかどうかを示す可否信号を生成し、
前記可否信号をオペレータに通信し、
前記オペレータから前記可否信号に対する応答を受信し、
前記製造業者から前記原材料を受領すること、
を含む方法。
【請求項１８】
前記伝送動作の前に製造業者識別子を確認することをさらに含む、請求項１７に記載の方法。
【請求項１９】
前記オペレータが前記製造業者データ入力システムにアクセスすることを許可する前に、オペレータの訓練を確認することをさらに含む、請求項１７に記載の方法。
【請求項２０】
少なくとも２つの材料特性コードの表示から材料特性コードを選択することをさらに含む、請求項１７に記載の方法。
【請求項２１】
前記原材料仕様のデータベース内の原材料仕様に対する修正に対応することをさらに含む、特徴とする請求項１７に記載の方法。
【請求項２２】
前記原材料が前記原材料仕様に適合しているかどうかを示す分析証明書を生成することをさらに含む、請求項１７に記載の方法。
【手続補正書】
【提出日】平成17年9月6日(2005.9.6)
【手続補正１】
【補正対象書類名】特許請求の範囲
【補正対象項目名】全文
【補正方法】変更
【補正の内容】
【特許請求の範囲】
【請求項１】
着脱可能アプリケーション特有媒体であって、
その媒体が接続されているホスト・コンピューティング・デバイスによるコンテンツのアクセスに応答して、実行されたとき、そのコンテンツを動的に生成するために備えられた組み込まれたアプリケーションを実施するように設計された第１の複数のプログラミング命令を記憶している第１の記憶ユニットと、
前記第１の複数のプログラミング命令を実行するために前記第１の記憶ユニットに結合されたプロセッサと、
前記ホスト・コンピューティング・デバイスに対する前記媒体の着脱可能な結合を容易にするために、また、前記生成されたコンテンツを前記ホスト・コンピューティング・デバイスにとって使用可能にするために、前記第１の記憶ユニットに、また前記プロセッサに結合されたインターフェースと
を備える媒体。
【請求項２】
前記記憶ユニットがさらに、前記生成されたコンテンツを前記ホスト・コンピューティング・デバイスにとって使用可能にすることを容易にするために組み込まれたシステム・サービスを実施するように設計された第２の複数のプログラミング命令を記憶している請求項１に記載の着脱可能媒体。
【請求項３】
前記組み込まれたシステム・サービスが、エミュレートされた通信プロトコル・サービスを提供するために組み込まれた通信プロトコル・エミュレーション・サービスを含む請求項２に記載の着脱可能媒体。
【請求項４】
前記組み込まれたシステム・サービスが、埋め込まれたマーク・アップ言語をベースとするコンテンツ・サーバを含む請求項２に記載の着脱可能媒体。
【請求項５】
前記組み込まれたアプリケーションの実行結果が、マーク・アップ言語を使用して記述されたコンテンツを含む請求項１に記載の着脱可能媒体。
【請求項６】
前記媒体がさらに、前記インターフェースと前記プロセッサに結合されたコントローラを含み、前記プロセッサに対する前記インターフェースの前記結合を容易にする請求項１に記載の着脱可能媒体。
【請求項７】
前記第１の記憶ユニットが、前記第１の複数のプログラミング命令を記憶するために不揮発性記憶装置を含む請求項１に記載の着脱可能媒体。
【請求項８】
前記着脱可能媒体がさらに、前記組み込まれたアプリケーションの実行結果を記憶するために第２の記憶ユニットを含む請求項１に記載の着脱可能媒体。
【請求項９】
前記第２の記憶ユニットが揮発性記憶装置を含む請求項８に記載の着脱可能媒体。
【請求項１０】
前記着脱可能媒体がさらに、前記第１の記憶ユニット、前記プロセッサ、および前記インターフェースを包む本体ケースを備え、前記本体ケースがＰＣＭＣＩＡカードのフォーム・ファクタを有する請求項１に記載の着脱可能媒体。
【請求項１１】
前記着脱可能媒体がさらに、前記第１の記憶ユニット、前記プロセッサ、および前記インターフェースを包む本体ケースを備え、前記本体ケースがゲーム・カートリッジのフォーム・ファクタを有する請求項１に記載の着脱可能媒体。
【請求項１２】
前記着脱可能媒体がさらに、前記第１の記憶ユニット、前記プロセッサ、および前記インターフェースを包む本体ケースを備え、前記本体ケースが不揮発性メモリ・デバイスのフォーム・ファクタを有する請求項１に記載の着脱可能媒体。
【請求項１３】
前記ホスト・コンピューティング・デバイスが、ワイヤレス移動電話、手の平サイズの携帯情報端末、ノートブック・サイズのコンピュータ、およびデスクトップ・コンピュータのうち選択された１つを含む請求項１に記載の着脱可能媒体。
【手続補正書】
【提出日】平成17年9月15日(2005.9.15)
【手続補正１】
【補正対象書類名】特許請求の範囲
【補正対象項目名】全文
【補正方法】変更
【補正の内容】
【特許請求の範囲】
【請求項１】
複数の処理装置を含む分散コンピュータ領域中にアプリケーションを自動的に展開する方法であって、
前記複数の処理装置の少なくとも１つにアクセス可能なアプリケーションディレクトリに格納された非展開（undeployed）アプリケーションを自動的にスキャン（scan）し、
前記アプリケーションディレクトリ内の非展開アプリケーションを認識し、
前記複数の処理装置の選択部分に前記非展開アプリケーションを展開し、その結果、前記アプリケーションが前記複数の処理装置の前記部分により実行され得ることを含む方法。
【請求項２】
前記アプリケーションディレクトリに格納されたアプリケーションリストを得て、
展開される予定の前記アプリケーションを選択するために、前記アプリケーションディレクトリに格納されたアプリケーションリストと、前に展開されたアプリケーションリストとを比較し、
前記複数の処理装置の選択部分に前記選択されたアプリケーションを展開するステップをさらに含むことを特徴とする請求項１に記載の方法。
【請求項３】
前記アプリケーションが前に展開されたアプリケーションリストにないとき、前記アプリケーションディレクトリに格納されたアプリケーションリストから展開されるアプリケーションを選択するステップをさらに含むことを特徴とする請求項２に記載の方法。
【請求項４】
前記アプリケーションに関連する展開標識（deployment indicator）の値が、前に展開されたアプリケーションリストに記録された展開標識の値と異なるとき、前記アプリケーションディレクトリに格納されたアプリケーションリストから展開されるアプリケーションを選択するステップをさらに含むことを特徴とする請求項２に記載の方法。
【請求項５】
前記展開標識は、前記アプリケーションを含むファイルの属性であることを特徴とする請求項４に記載の方法。
【請求項６】
前記アプリケーションを含む前記ファイルの属性は、前記ファイルの日付であることを特徴とする請求項５に記載の方法。
【請求項７】
前記展開標識は、前記アプリケーションを含む少なくとも１つの個々のファイルに関連したファイルの属性であることを特徴とする請求項４に記載の方法。
【請求項８】
前記アプリケーションを含む少なくとも１つの個々のファイルに関連した前記ファイルの属性は、前記ファイルの日付であることを特徴とする請求項７に記載の方法。
【請求項９】
前記複数の処理装置は、前記非展開アプリケーションに関連した複数の属性、及び前記分散コンピュータ領域に関連した複数の属性の解析より決定されることを特徴とする請求項２に記載の方法。
【請求項１０】
前記非展開アプリケーションに関連した複数の属性は、展開記述子（deployment descriptor）に含まれることを特徴とする請求項９に記載の方法。
【請求項１１】
分散コンピュータ領域中にアプリケーションオブジェクトを自動的に維持する方法であって、前記アプリケーションオブジェクトは、少なくとも１つのアプリケーションファイル内に含まれるとともに、前記分散コンピュータ領域は複数の処理装置を含み、
アプリケーションディレクトリに配置された前記アプリケーションファイルすべてのリストを復元し、
アプリケーションディレクトリ内に配置された前記ファイルすべてのリストと、前に展開されたアプリケーションオブジェクトに関連するファイルすべてのリストとを比較し、
各アプリケーションファイルのために、前記アプリケーションファイルが前に展開されたアプリケーションオブジェクトに関連したファイルすべてのリストにないとき、前記アプリケーションファイルに含まれるアプリケーションオブジェクトを展開し、
各アプリケーションファイルのために、前記アプリケーションファイルが前に展開されたアプリケーションオブジェクトに関連したファイルすべてのリストの対応ファイルと異なるとき、前記アプリケーションファイルに含まれるアプリケーションオブジェクトを再展開（redeploy）し、
前に展開されたアプリケーションオブジェクトに関連したファイルすべてのリストの各アプリケーションファイルのために、前に展開されたアプリケーションオブジェクトに関連したファイルすべてのリストのアプリケーションファイルが、前記アプリケーションディレクトリ内に配置されたアプリケーションファイルすべてのリストにないとき、アプリケーションファイルに関連した前記アプリケーションオブジェクトを非展開する（undeploy）ステップを含む方法。
【請求項１２】
前記再展開ステップにおいて、前記相違が、アプリケーションファイルに関連した展開標識（deployment indicator）の値と、前に展開したアプリケーションオブジェクトのリストに記録された展開標識の値とを比較することによって決定されることを特徴とする請求項１１に記載の方法。
【請求項１３】
前記展開標識は、前記アプリケーションオブジェクトを含むファイルの属性であることを特徴とする請求項１２に記載の方法。
【請求項１４】
前記アプリケーションオブジェクトを含むファイルの属性は、前記ファイルの日付であることを特徴とする請求項１３に記載の方法。
【請求項１５】
前記展開標識は、前記アプリケーションオブジェクトを含む少なくとも１つの個々のファイルに関連したファイルの属性であることを特徴とする請求項１２に記載の方法。
【請求項１６】
少なくとも第１の処理装置及び前記第１の処理装置によってアクセス可能なメモリ装置を含む処理システムであって、
前記メモリ装置に格納されたプロセッサ読み出し可能な命令の集まり、及び
第１の処理装置にアクセス可能なアプリケーションディレクトリに格納された非展開アプリケーションを自動的にスキャンし、
前記アプリケーションディレクトリ内の非展開アプリケーションを認識し、
前記処理システムの選択部分に前記非展開アプリケーションを展開し、その結果、前記アプリケーションが前記処理システムの前記部分により実行されることができることを含むステップの集まりを実行するために前記第１の処理装置を操作すること、を含む処理システム。
【請求項１７】
前記処理システムの選択部分は、前記第１の処理装置を含むことを特徴とする請求項１６に記載の方法。
【請求項１８】
前記第１の処理装置と連絡する第２の処理装置をさらに含み、
前記処理システムの選択部分は、前記第２の処理装置を含むことを特徴とする請求項１６に記載の処理システム。
【請求項１９】
前記第１の処理装置及び前記第２の処理装置は、第１のコンピュータ上に配置されることを特徴とする請求項１８に記載の処理システム。
【請求項２０】
前記第１の処理装置は第１のコンピュータに配置され、且つ前記第２の処理装置は第２のコンピュータに配置されることを特徴とする請求項１９に記載の処理システム。
【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】  再構成可能チップでファンクションを実施するための演算論理装置（ＡＬＵ）をそれぞれが有するチップを使用して、異なる時間およびリソースの要件を有する複数の可能な構成を供給するステップ；
スケジューラにおいて、再構成可能チップでファンクションを実施するための構成を選択するために前記構成の前記時間ならびにリソースの要件を用いるステップ；および
この構成を前記再構成可能チップにロードするステップ
を含む方法。
【請求項２】  前記時間およびリソースの要件の指示は、各構成に関して記憶されることを特徴とする請求項１に記載の方法。
【請求項３】  前記スケジューラは動的スケジューラであることを特徴とする請求項１に記載の方法。
【請求項４】  前記スケジューラは静的スケジューラであることを特徴とする請求項１に記載の方法。
【請求項５】  スケジュールは、前記再構成可能チップに関して利用可能な時間の期間およびリソースを決定するために使用されることを特徴とする請求項１に記載の方法。
【請求項６】  前記再構成可能チップは、再構成可能ファブリックを含むことを特徴とする請求項１に記載の方法。
【請求項７】  前記再構成可能チップはプロセッサを含むことを特徴とする請求項１に記載の方法。
【請求項８】  前記プロセッサは、動的スケジューラを実行することを特徴とする請求項７に記載の方法。
【請求項９】  再構成可能チップのためのスケジューラであって、異なる時間およびリソースの要件を有し、その各々が再構成可能チップで同じファンクションを実施するように適応した１つ以上の所定の構成の群から１つの構成を選択するように適応したスケジューラであり、前記再構成可能チップにロードされるべき所定の構成を選択するために、前記所定の構成の利用可能なリソース、並びに時間及びリソースの要件のスケジュールの指示を使用する前記スケジューラ。
【請求項１０】  前記スケジューラは、単一のファンクションに関する複数の所定の構成を含むライブラリへのアクセスを有することを特徴とする請求項９に記載のスケジューラ。
【請求項１１】  前記所定の構成の時間およびリソースの要件の指示が記憶されることを特徴とする、請求項９に記載のスケジューラ。
【請求項１２】  前記スケジューラは、動的スケジューラであることを特徴とする請求項９に記載のスケジューラ。
【請求項１３】  前記スケジューラは、静的スケジューラであることを特徴とする請求項９に記載のスケジューラ。
【請求項１４】  前記スケジューラは、このスケジュールから利用可能な時間の期間ならびにリソースを決定し、および前記利用可能なリソースならびに時間の期間を調べることを特徴とする請求項９に記載のスケジューラ。
【請求項１５】  前記スケジューラは、前記再構成可能チップのプロセッサ上の動的スケジューラとして実行されることを特徴とする請求項９に記載のスケジューラ。
【手続補正書】
【提出日】平成17年9月1日(2005.9.1)
【手続補正１】
【補正対象書類名】明細書
【補正対象項目名】特許請求の範囲
【補正方法】変更
【補正の内容】
【特許請求の範囲】
【請求項４】
第三の減法原色の第三色の複数の透明な誘電泳動粒子をさらに有し、
前記第三色の透明な誘電泳動粒子が、前記第一色と第二色の両方の透明な誘電泳動粒子と比較して、前記透明な液体内において異なる誘電泳動周波数特性を有する、
請求項1〜3のいずれかに記載の誘電泳動混合物。
【手続補正書】
【提出日】平成17年6月27日(2005.6.27)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2005505511.tif 000001
式中、
Ｒ１は、水素、ＯＨまたは１〜３個の炭素原子を有するアルコキシであり、
Ｒ２は、水素、ＯＨまたは１〜３個の炭素原子を有するアルコキシであり、
ただし、Ｒ１およびＲ２の両方が水素である式（Ｉ）の化合物は除外され、または
Ｒ１およびＲ２が、一緒になって二価の基−Ｏ−ＣＨ２−Ｏ−であり、
Ｒ３は、水素または−ＣＨ３であり、
Ｒ４は、水素または−ＣＨ３であり、または
Ｒ３およびＲ４が一緒になって、結合する炭素原子とともにシクロアルカン環を形成する、二価の基（ＣＨ２）ｎ、Ｃ（ＣＨ３）２またはＣＨ（ＣＨ３）であり、
Ｒ５は、水素または−ＣＨ３であり、
Ｒ６は、水素または−ＣＨ３であり、または
Ｒ５およびＲ６が一緒になって、結合する炭素原子とともにシクロアルカン環を形成する、二価の基（ＣＨ２）ｎ、（ＣＨ２）ｎ−１ＣＨ（ＣＨ３）または（ＣＨ２）ｎ−１Ｃ（ＣＨ３）２であり、
ｎは、１、２または３の整数であり、および少なくとも１個のシクロアルカン環が存在する、
で表される化合物を含む化粧品香料組成物または食品香料組成物。
【請求項２】
式（Ｉ）で表される化合物が、１−シクロプロピルメチル−４−メトキシ−ベンゼン、４−シクロプロピルメチル−２−メトキシ−フェノール、４−シクロプロピルメチル−１，２−ジメトキシ−ベンゼン、２−メトキシ−４−（２−メチルシクロプロピル）−フェノール、１−シクロブチルメチル−４−メトキシ−ベンゼンおよび１−シクロペンチルメチル−４−メトキシ−ベンゼンからなる群から選択される、請求項１に記載の組成物。
【請求項３】
０．００１〜１０％の量的範囲で存在する、請求項１で定義される式（Ｉ）で表される化合物を含む化粧品香料用製品。
【請求項４】
０．００１〜１０００ｍｇ／ｋｇの量的範囲で存在する、請求項１で定義される式（Ｉ）で表される化合物を含む、食品香料用製品。
【請求項５】
式（Ｉ）で表される化合物の１または２種以上を添加する工程を含む、食品香料組成物または化粧品香料組成物を改良する方法。
【請求項６】
式（Ｉ）
【化２】
2005505511.tif 000002
式中、
Ｒ１は、水素、ＯＨまたは１〜３個の炭素原子を有するアルコキシであり、
Ｒ２は、水素、ＯＨまたは１〜３個の炭素原子を有するアルコキシであり、
ただし、
i）Ｒ１、Ｒ２が水素である、
ii）Ｒ１が水素であり、およびＲ２がメトキシである
iii）Ｒ１が水素であり、およびＲ２がヒドロキシである、
式（Ｉ）の化合物を除外し、または
Ｒ１およびＲ２が一緒になって、二価の基−Ｏ−ＣＨ２−Ｏ−を形成し、
Ｒ３は、水素であり、
Ｒ４は、水素であり、または
Ｒ３およびＲ４が一緒になって、結合する炭素原子とともにシクロアルカン環を形成する、二価の基−ＣＨ２−であり、
Ｒ５は、水素であり、
Ｒ６は、水素であり、または
Ｒ５およびＲ６が一緒になって、結合する炭素原子とともにシクロアルカン環を形成する、二価の基−ＣＨ２−であり、および
少なくとも１個のシクロアルカン環が存在する、
で表される化合物。
【手続補正書】
【提出日】平成18年7月19日(2006.7.19)
【手続補正１】
【補正対象書類名】明細書
【補正対象項目名】特許請求の範囲
【補正方法】変更
【補正の内容】
【特許請求の範囲】
【請求項１】
癌の治療用薬剤の製造のための、化合物９−アミノ−６−デオキシ−５−ヒドロキシテトラサイクリン、又はその塩基等を該薬剤に含めるという該化合物又は該塩基の使用。
【請求項２】
癌の治療用薬剤の製造のための、化合物９−ニトロ−６−デオキシ−５−ヒドロキシテトラサイクリン、又はその塩基等を該薬剤に含めるという該化合物又は該塩基の使用。
【請求項３】
癌の治療用薬剤の製造のための、化合物７−ジメチルアミノ−６−ジメチル−６−デオキシテトラサイクリン−９−ジアゾニウム、又はその塩基等を該薬剤に含めるという該化合物又は該塩基の使用。
【請求項４】
癌の治療用薬剤の製造のための、化合物９−アジド−７−ジメチルアミノ−６−ジメチル−６−デオキシテトラサイクリン、又はその塩基等を該薬剤に含めるという該化合物又は該塩基の使用。
【請求項５】
癌の治療用薬剤の製造のための、化合物９−ｔ−ブチル−６−デオキシ−５−ヒドロキシテトラサイクリン、又はその塩基等を該薬剤に含めるという該化合物又は該塩基の使用。
【請求項６】
癌の治療用薬剤の製造のための、化合物４−エピ−７−クロロテトラサイクリン、又はその塩基等を該薬剤に含めるという該化合物又は該塩基の使用。
【請求項７】
癌の治療用薬剤の製造のための、化合物４−ジジメチルアミノ（Dedimethylamino）−６−デオキシ−５−ヒドロキシテトラサイクリン−９−ジアソニウム、又はその塩基等を該薬剤に含めるという該化合物又は該塩基の使用。
【請求項８】
前記癌は、前立腺癌、乳癌、メラノーマ或いは骨髄腫である、請求項１乃至７のいずれか１項に記載の使用。
【請求項９】
癌の治療を必要としている被検者に化合物９−アミノ−６−デオキシ−５−ヒドロキシテトラサイクリン、又はその塩基等を投与するステップを含む、癌の治療方法。
【請求項１０】
癌の治療を必要としている被検者に化合物９−ニトロ−６−デオキシ−５−ヒドロキシテトラサイクリン、又はその塩基等を投与するステップを含む、癌の治療方法。
【請求項１１】
癌の治療を必要としている被検者に化合物７−ジメチルアミノ−６−ジメチル−６−デオキシテトラサイクリン−９−ジアゾニウム、又はその塩基等を投与するステップを含む、癌の治療方法。
【請求項１２】
癌の治療を必要としている被検者に化合物９−アジド−７−ジメチルアミノ−６−ジメチル−６−デオキシテトラサイクリン、又はその塩基等を投与するステップを含む、癌の治療方法。
【請求項１３】
癌の治療を必要としている被検者に化合物９−ｔ−ブチル−６−デオキシ−５−ヒドロキシテトラサイクリン、又はその塩基等を投与するステップを含む、癌の治療方法。
【請求項１４】
癌の治療を必要としている被検者に化合物４−エピ−７−クロロテトラサイクリン、又はその塩基等を投与するステップを含む、癌の治療方法。
【請求項１５】
癌の治療を必要としている被検者に化合物４−ジジメチルアミノ（Dedimethylamino）−６−デオキシ−５−ヒドロキシテトラサイクリン−９−ジアソニウム、又はその塩基等を投与するステップを含む、癌の治療方法。
【請求項１６】
前記癌は、前立腺癌、乳癌、メラノーマ或いは骨髄腫である、請求項９乃至１５のいずれか１項に記載の方法。
【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
式Ｉ
【化１】
2005505583.tif 000001
［式中、
Ｒ1は、
(ｉ)  フェニル
【化２】
2005505583.tif 000002
(ii)  ピリジニル
【化３】
2005505583.tif 000003
(iii) チエニル
【化４】
2005505583.tif 000004
(iv)  フラニル
【化５】
2005505583.tif 000005
(ｖ)  イミダゾリル
【化６】
2005505583.tif 000006
(vi)  トリアゾリル
【化７】
2005505583.tif 000007
(vii) ピロリル
【化８】
2005505583.tif 000008
(viii) チアゾリル
【化９】
2005505583.tif 000009
のいずれか１つから選択され、ここで、各Ｒ1フェニル環およびＲ1複素芳香環は、独立して、直鎖状または分枝鎖状のＣ1−Ｃ6アルキル、ＮＯ2、ＣＦ3、Ｃ1−Ｃ6アルコキシ、クロロ、フルオロ、ブロモ、およびヨードから独立して選択される１、２または３個の置換基で更に置換されていてよい］
の化合物およびその塩。
【請求項２】
Ｒ1が、
(ｉ)  フェニル
【化１０】
2005505583.tif 000010
(ii)  ピリジニル
【化１１】
2005505583.tif 000011
(iii) チエニル
【化１２】
2005505583.tif 000012
(iv)  フラニル
【化１３】
2005505583.tif 000013
のいずれか１つから選択される、請求項１に記載の化合物。
【請求項３】
各Ｒ1フェニル環およびＲ1複素芳香環が、場合により、そして独立して、メチル、ＣＦ3、クロロ、フルオロ、ブロモ、およびヨードから独立して選択される１、２または３個
の置換基で更に置換されていてよい、請求項１に記載の化合物。
【請求項４】
Ｎ,Ｎ−ジエチル−４−［ピペリジン−４−イリデン（３−カルバモイルフェニル）−
メチル］−ベンズアミド；
Ｎ,Ｎ−ジエチル−４−［１−（２−チオフェン）メチル−ピペリジン−４−イリデン
−（３−カルバモイルフェニル）−メチル］−ベンズアミド；
Ｎ,Ｎ−ジエチル−４−［１−（２−フルフリル−ピペリジン−４−イリデン−（３−
カルバモイルフェニル）−メチル］−ベンズアミド；
Ｎ,Ｎ−ジエチル−４−［１−（３−フルフリル−ピペリジン−４−イリデン−（３−
カルバモイルフェニル）−メチル］−ベンズアミド；
Ｎ,Ｎ−ジエチル−４−［１−（２−ピリジン）メチル−ピペリジン−４−イリデン−
（３−カルバモイルフェニル）−メチル］−ベンズアミド；
Ｎ,Ｎ−ジエチル−４−［１−（３−チオフェン）メチル−ピペリジン−４−イリデン
−（３−カルバモイルフェニル）−メチル］−ベンズアミド；
Ｎ,Ｎ−ジエチル−４−［１−（２−チアゾール）メチル−ピペリジン−４−イリデン
−（３−カルバモイルフェニル）−メチル］−ベンズアミド；
Ｎ,Ｎ−ジエチル−４−［１−（３−ピリジン）メチル−ピペリジン−４−イリデン−
（３−カルバモイルフェニル）−メチル］−ベンズアミド；
Ｎ,Ｎ−ジエチル−４−［１−（２−ピロール）メチル−ピペリジン−４−イリデン−
（３−カルバモイルフェニル）−メチル］−ベンズアミド；
Ｎ,Ｎ−ジエチル−４−［１−（４−ピリジン）メチル−ピペリジン−４−イリデン−
（３−カルバモイルフェニル）−メチル］−ベンズアミド；および、
Ｎ,Ｎ−ジエチル−４−［１−（４−イミダゾール）メチル−ピペリジン−４−イリデン−（３−カルバモイルフェニル）−メチル］−ベンズアミド；
のいずれか１つから選択される、請求項１に記載の化合物。
【請求項５】
ヒドロクロリド、ジヒドロクロリド、スルフェート、タートレート、ジトリフルオロアセテートまたはシトレートの塩の形態の、請求項１に記載の化合物。
【請求項６】
治療における使用のための、請求項１〜５のいずれか１項に記載の化合物。
【請求項７】
治療が、疼痛の処置である、請求項６に記載の化合物。
【請求項８】
治療が、胃腸疾患を対象としている、請求項６に記載の化合物。
【請求項９】
治療が、脊髄損傷を対象としている、請求項６に記載の化合物。
【請求項１０】
治療が、交感神経系の障害を対象としている、請求項６に記載の化合物。
【請求項１１】
疼痛の治療に使用する医薬の製造のための、請求項１に記載の式Ｉの化合物の使用。
【請求項１２】
胃腸疾患の治療に使用する医薬の製造のための、請求項１に記載の式Ｉの化合物の使用。
【請求項１３】
脊髄損傷の治療に使用する医薬の製造のための、請求項１に記載の式Ｉの化合物の使用。
【請求項１４】
製薬的に許容される担体と共に、活性成分として請求項１に記載の式Ｉの化合物を含む医薬組成物。